(57)【要約】【課題】瞳孔の状態に因らず、短時間で良好な画質の眼底画像を撮影可能な眼科撮影装置を提供すること。【解決手段】被検眼前眼部を照明する照明光学系と、該照明光学系により照明された前眼部領域を撮像する撮像手段と、該撮像手段により撮像された前眼部像から瞳孔部の大きさに対応する情報を抽出する大きさ情報抽出手段と、該大きさ情報抽出手段により抽出された大きさ情報に基づいて前記被検眼を撮像する撮像手段のゲインを設定するゲイン設定手段を含んで眼科撮影装置を構成する。【選択図】図１
2005087300.tif 000002
【特許請求の範囲】
【請求項１】
被検眼前眼部を照明する照明光学系と、該照明光学系により照明された前眼部領域を撮像する撮像手段と、該撮像手段により撮像された前眼部像から瞳孔部の大きさに対応する情報を抽出する大きさ情報抽出手段と、該大きさ情報抽出手段により抽出された大きさ情報に基づいて前記被検眼を撮像する撮像手段のゲインを設定するゲイン設定手段を有することを特徴とする眼科撮影装置。
【請求項２】
被検眼前眼部を照明する照明光学系と、該照明光学系により照明された前眼部領域を撮像する撮像手段と、該撮像手段により撮像された前眼部像から瞳孔部の大きさに対応する情報を抽出する大きさ情報抽出手段と、該大きさ情報抽出手段により抽出された大きさ情報に基づいて前記被検眼を撮像する際の撮像光量を設定する撮像光量設定手段を有することを特徴とする眼科撮影装置。
【請求項３】
前記大きさ情報は、瞳孔径であることを特徴とする請求項１又は２記載の眼科撮影装置。
【請求項４】
前記大きさ情報は、瞳孔内面積であることを特徴とする請求項１又は２記載の眼科撮影装置。
【発明の詳細な説明】
【技術分野】
【０００１】
本発明は、例えば被検眼の眼底を撮影する眼科撮影装置に関するものである。
【背景技術】
【０００２】
糖尿病や高血圧症に代表される成人病の特徴として循環器系疾患が挙げられ、これら疾患の検査方法として従来から眼底撮影が行われている。眼底撮影には散瞳剤使用を前提とした散瞳撮影と、散瞳剤を使わないで撮影する無散瞳撮影があり、成人病検診では無散瞳撮影による検査が一般に行われている。
【０００３】
無散瞳撮影の場合には、撮影画像の画質は被検眼の瞳孔径に大きく左右されるという問題がある。この解決方法として、特許文献１では、瞳孔領の大きさの変動を観測しながらタイミングを計って撮影する方式が提案されている。
【０００４】
【特許文献１】特公昭６３−５１０２０号公報
【発明の開示】
【発明が解決しようとする課題】
【０００５】
しかしながら、従来の瞳孔領の大きさの変動を観測している場合には、或る一定の条件が揃うまで撮影を行うことができず、特に所定時間内に多くの被検眼撮影をこなさなければならないような集団検診等では撮影効率の低下を来していた。
【０００６】
又、瞳孔の拡大は自然散瞳の範囲であったため、元々小瞳孔の被検眼にあっては十分な撮影光量を得ることができず、暗い画像として撮影されていた。
【０００７】
本発明の目的は、上述の問題点を解消し、瞳孔の状態に因らず、短時間で良好な画質の眼底画像を撮影可能な眼科撮影装置を提供することにある。
【課題を解決するための手段】
【０００８】
上記目的を達成するため、本発明は、被検眼前眼部を照明する照明光学系と、該照明光学系により照明された前眼部領域を撮像する撮像手段と、該撮像手段により撮像された前眼部像から瞳孔部の大きさに対応する情報を抽出する大きさ情報抽出手段と、該大きさ情報抽出手段により抽出された大きさ情報に基づいて前記被検眼を撮像する撮像手段のゲインを設定するゲイン設定手段を含んで眼科撮影装置を構成したことを特徴とする。
【０００９】
又、本発明は、被検眼前眼部を照明する照明光学系と、該照明光学系により照明された前眼部領域を撮像する撮像手段と、該撮像手段により撮像された前眼部像から瞳孔部の大きさに対応する情報を抽出する大きさ情報抽出手段と、該大きさ情報抽出手段により抽出された大きさ情報に基づいて前記被検眼を撮像する際の撮像光量を設定する撮像光量設定手段を含んで眼科撮影装置を構成したことを特徴とする。
【発明の効果】
【００１０】
本発明によれば、瞳孔径に基づいて撮像ゲイン又は撮影光量を設定するように構成したため、集団検診等の撮影時間を重要視するような場面においても、短時間で且つ容易に被検眼の撮影を行うことができる。
【００１１】
又、小瞳孔の被検眼であっても、高画質の被検眼画像を得ることができる。
【発明を実施するための最良の形態】
【００１２】
以下に本発明の実施の形態を添付図面に基づいて説明する。
【００１３】
＜実施の形態１＞
本発明の実施の形態１を図１〜図６に示す装置構成図及びフローチャートを用いて詳細に説明する。
【００１４】
図１は本発明を実施した場合の装置構成図を示し、１はランプ等の観察/ アライメント用光源、２は赤外光を透過する可視カットフィルター、３はコンデンサーレンズ、４はストロボ光源等の静止画撮影用光源、５はリレーレンズ、６は穴あきミラー、Ｅは被検眼、７は対物レンズ、８は前眼部観察時に光路内に挿入される前眼部観察用レンズ、９は合焦機能を有するレンズ系、１０は図面における右端を軸に左側が上に跳ね上がる跳ね上げミラー、１１は撮影用センサーユニット、１２はレンズ、１３は観察用センサーユニット、１４は観察画像用モニタ、１５は瞳孔径算出部、１６はゲイン指示部、１７は撮影画像記録部、１８は撮影画像用モニタである。
【００１５】
撮影に先立ち、先ず、被検眼と対物レンズ７との概略位置合わせを行う（ステップ１）。
【００１６】
前眼部を照明するための図示しない赤外光源から発せられた赤外光により、被検眼Ｅの前眼部が照明され、前眼部からの反射光は、対物レンズ７、前眼部観察用レンズ８、穴あきミラー６の穴部及びレンズ系９を経て跳ね上げミラー１０により反射され、レンズ１２を経由して観察用センサーユニット１３へ導かれる。観察用センサーユニット１３で光電変換された前眼部観察画像は、観察画像用モニタ１４上に映出される。
【００１７】
観察画像用モニタ１４上に表示された前眼部像の例を図３に示す。撮影者は、この前眼部像を見ながら、図１に示した光学系を搭載した図示しないステージ部等を移動することにより位置合わせを行う。
【００１８】
位置合わせが終了後、撮影者は、図示しない前眼部／眼底部切換えスイッチを押下する。これにより、瞳孔径算出部１５は、観察用センサーユニットで得られた前眼部像をＡ（アナログ）／Ｄ（デジタル）変換した後、図示しないメモリ上に記録する。記録後、光路中に挿入されていた前眼部観察用レンズ８を光路から離脱する。
【００１９】
尚、ここでは前眼部／眼底部切換えスイッチの押下により、前眼部像をメモリに記録する場合を例に挙げて説明したが、これに限ることなく、図示しないスイッチ操作により、前眼部像をメモリに記録するように構成しても良い。
【００２０】
次に、メモリに記録された前眼部像を用いて被検眼の瞳孔径を計測する（ステップ２）。
【００２１】
メモリに格納された前眼部像も観察画像用モニタ１４上に表示される前眼部像と同様に図３に示される画像として記録される。図３において、瞳孔部は画像中で最も濃度の高い部位として抽出可能であるので、適当な閾値を用いて二値化処理することにより抽出が可能である。抽出された瞳孔部画像から図４に示す瞳孔径を計測する。二値化された円から直径を算出するには、既に公知の方法により可能である。
【００２２】
ここでは、瞳孔部画像を抽出してから算出する例を挙げたが、これに限らず、図５に示すようにメモリ上の前眼部画像に対して矢印の方向でスキャンし、上記閾値以上の画素値の連結が最も長い部位を瞳孔径として算出するように構成しても良い。
【００２３】
尚、ここではメモリに記録された前眼部デジタル画像を用いて瞳孔径を算出方法を述べたが、特公昭６３−２１０２０号公報に記載のアナログ電気信号による方法で抽出しても良い。
【００２４】
瞳孔径が得られると、図６に示すように、瞳孔径に対応する撮像ゲイン値を算出する（ステップ３）。
【００２５】
一般に眼底カメラの光学系においては、照明光は瞳孔周囲より被検眼内に入るため、小瞳孔の場合、照明光が十分に被検眼内に入らず光量不足となってしまう。従って、瞳孔径が小さい場合には、撮像ゲイン値を大きくし、逆に瞳孔径が大きい場合には撮像ゲインを小さく設定するのが良い。
【００２６】
単純に瞳孔径に応じて撮像ゲインの大小を決定するばかりでなく、以下に示すように設定することも可能である。
【００２７】
１．上記設定された瞳孔径に応じて、撮像ゲインの変更範囲を撮影用センサーユニット１１の撮像面上における中心位置（光軸）からどの位の距離の範囲とするかを決定する。具体的には、瞳孔径が小さくなるに従って撮像ゲインの変更範囲が撮像面中心位置からの範囲（円の面積）が大きくなるように設定する。
［例］
瞳孔径５→撮像面上の中心位置からの距離１→撮像ゲイン変更範囲  半径１の円内
瞳孔径３→撮像面上の中心位置からの距離２→撮像ゲイン変更範囲  半径２の円内
２．撮像面上の中心位置からの距離に応じて撮像ゲインの値を変更する。具体的には、中心位置より周辺部の方が撮影ゲインの値が小さくなるように設定する。
［例］
撮像面上の中心位置からの距離１→撮像ゲイン値１２
撮像面上の中心位置からの距離２→撮像ゲイン値６
上記１，２はここでは個々の設定方法として説明したが、これらは組み合わせて使用することも可能である。
【００２８】
尚、ここでは瞳孔径に応じて撮像ゲイン値を設定する場合を例に挙げて説明したが、これに限ることなく、瞳孔内面積に基づいて撮像ゲインを設定しても良い。
【００２９】
設定された撮像ゲインは、ゲイン指示部１６の指示により撮影用センサーユニット１１へ設定される。
【００３０】
前眼部観察用レンズ８が光路から離脱されると、撮影者は被検眼の眼底部位を観察画像用モニタで観察しながら、撮影部位の特定、撮影光量調整、ピント調整等を行う（ステップ４）。
【００３１】
観察／アライメント用光源１から発せられた照明光は、可視カットフィルター２により赤外域のみの波長を持つ光に変換された後、コンデンサーレンズ３、リレーレンズ５を経由して穴あきミラー６のミラー部で反射され、対物レンズ７を通って被検眼Ｅの眼底部を照明する。眼底部からの反射光は、再び対物レンズ７を通り、穴あきミラー６の穴部、レンズ系９を経て跳ね上げミラー１０により反射され、レンズ１２を経由して観察用センサーユニット１３へ導かれる。観察用センサーユニット１３で光電変換された眼底部観察画像は、観察画像用モニタ１４上に映出される。
【００３２】
被検眼眼底の撮影準備ができると、撮影者は図示しない撮影スイッチを押下する（ステップ５）。
【００３３】
撮影スイッチの押下により静止画撮影用光源４が点灯し、静止画撮影用光源４からの照明光は、リレーレンズ５を経由して穴あきミラー６のミラー部で反射され、対物レンズ７を通って被検眼Ｅの眼底部を照明する。眼底部からの反射光は、再び対物レンズ７を通り、穴あきミラー６の穴部及びレンズ系９を経て跳ね上げミラー１０が跳ね上げられることにより、撮影用センサーユニット１１に導かれる（ステップ６）。
【００３４】
撮影用センサーユニット１１で結像された被検眼眼底像は、光電変換され、撮影画像記録部１７にてＡ／Ｄ変換され、図示しないメモリへ記録されるのと同時に撮影画像用モニタ１８上に表示される（ステップ７）。
【００３５】
＜実施の形態２＞
上記実施の形態１においては、被検眼瞳孔径により撮像ゲインを設定するとしたが、これに限らず、図７に示すフローチャートのように、被検眼瞳孔径により撮影光量値を設定するように構成しても良い。
【００３６】
この場合には、瞳孔径が小さい場合には、撮影光量値を大きく設定し、瞳孔径が大きい場合には撮影光量値を小さく設定するようにする。
【産業上の利用可能性】
【００３７】
以上の実施の形態では眼底カメラの場合を例に挙げて説明したが、これに限ることなく、スリットランプ（細隙灯顕微鏡）等の他の眼科撮影機器においても同様の効果が得られることは言うまでもない。
【図面の簡単な説明】
【００３８】
【図１】本発明の装置構成図である。
【図２】本発明の実施の形態１の動作フローを示すフローチャートである。
【図３】前眼部像の例を示す図である。
【図４】瞳孔径の例を示す図である。
【図５】瞳孔径抽出例を示す図である。
【図６】瞳孔径と撮像ゲインの対応関係を示した例を示す図である。
【図７】本発明の実施の形態２の動作フローを示すフローチャートである。
【符号の説明】
【００３９】
１    観察／アライメント用光源
２    可視カットフィルター
３    コンデンサーレンズ
４    静止画撮影用光源
５    リレーレンズ
６    穴あきミラー
７    対物レンズ
８    前眼部観察用レンズ
９    レンズ系
１０    跳ね上げミラー
１１    撮影用センサーユニット
１２    レンズ
１３    観察用センサーユニット
１４    観察画像用モニタ
１５    瞳孔径算出部
１６    ゲイン指示部
１７    撮影画像記録部
１８    撮影画像用モニタ
【図１】
2005087300.tif 000003
【図２】
2005087300.tif 000004
【図３】
2005087300.tif 000005
【図４】
2005087300.tif 000006
【図５】
2005087300.tif 000007
【図６】
2005087300.tif 000008
【図７】
2005087300.tif 000009